(57)【特許請求の範囲】
【請求項１】
車両の複数の作動パラメータを表示するための表示システム（１００）であって、
第１のパラメータ（１０４Ａ）を表示するための第１の表示部（１０２Ａ）と、
第２のパラメータ（１０４Ｂ）を表示するための第２の表示部（１０２Ｂ）と、
前記第１の表示部及び前記第２の表示部と異なる第３の表示部（１０２Ｃ）と、
前記第１の表示部及び前記第２の表示部で前記第１のパラメータまたは前記第２のパラメータの計測値を示すための指示ユニット（１０６）と、
前記第１の表示部の前記第１のパラメータまたは前記第２の表示部の前記第２のパラメータを指示する前記指示ユニットを制御するためのスイッチ（１０８）と、
（ｉ）前記スイッチのスイッチ位置に基づいて前記指示ユニットを制御し、（ｉｉ）前記指示ユニットが前記第１の表示部に前記第１のパラメータを示すとき、前記第３の表示部に前記第１のパラメータ及び前記第２のパラメータ以外の前記複数の作動パラメータのうちの少なくとも１つまたは前記第２のパラメータを選択的に表示し、（ｉｉｉ）前記指示ユニットが前記第２の表示部に前記第２のパラメータを示すとき、前記第３の表示部に前記第１のパラメータ及び前記第２のパラメータ以外の前記複数の作動パラメータのうちの少なくとも１つまたは前記第１のパラメータを選択的に表示するように構成される駆動ユニット（１１０）と、
を備えることを特徴とする表示システム。
【請求項２】
さらに、前記スイッチ位置に基づいて、前記第１の表示部及び前記第３の表示部、または前記第２の表示部及び前記第３の表示部、を選択的に照らすように構成される背面照明システム（１１２Ａ〜Ｃ）を備え、
前記背面照明システムは、ＬＥＤ、電球照明、ライトパイプ、ライトガイド、または照明モジュールを備える表示技術のうちの少なくとも１つによって実現される
ことを特徴とする請求項１に記載の表示システム。
【請求項３】
前記複数の作動パラメータは、速度、燃費、油圧、電圧、距離、温度、燃料レベル、空気圧、水圧、アドブルーレベル、タイヤ空気圧、バッテリ充電レベル、及び毎秒回転数を含む
ことを特徴とする請求項１に記載の表示システム。
【請求項４】
前記第１の表示部及び前記第２の表示部は、アナログ表示またはＬＥＤ棒グラフゲージであり、
前記第１の表示部及び前記第２の表示部は、それぞれ、前記作動パラメータの読み取り値を有するダイヤルを有する
ことを特徴とする請求項２に記載の表示システム。
【請求項５】
前記第１の表示部及び前記第２の表示部は、互いに、同心円状に、または偏心的に、またはオフセットされて、または対称に、または非対称に、配置されている
ことを特徴とする請求項２に記載の表示システム。
【請求項６】
前記第３の表示部は、デジタル表示であり、
前記第３の表示部は、前記作動パラメータの前記計測値を表示するために、液晶ディスプレイ（ＬＣＤ）（セグメント化、ドットマトリクス）、発光ダイオード（ＬＥＤ）、有機ＬＥＤ（ＯＬＥＤ）、薄膜トランジスタ（ＴＦＴ）、または蛍光表示管（ＶＦＤ）を有している
ことを特徴とする請求項２に記載の表示システム。
【請求項７】
前記第３の表示部は、前記第１のパラメータ及び前記第２のパラメータに加えて、第３のパラメータ及び第４のパラメータのうちの少なくとも１つを表示するように構成されている
ことを特徴とする請求項２に記載の表示システム。
【請求項８】
前記指示ユニットは、コンパス、または針、またはＬＥＤ棒グラフである
ことを特徴とする請求項２に記載の表示システム。
【発明の詳細な説明】
【技術分野】
【０００１】
本発明は一般に、車両の１つまたは複数の作動パラメータを表示するための、車両の表示システムに関し、より詳細には、それに限定するものではないが、より少ない空間で１つまたは複数の作動パラメータを表示するように構成される表示システムに関する。
【背景技術】
【０００２】
一般に、車両の表示システムは、速度、エンジン回転数、燃料レベル、警告などを含む車両の作動状態などの運転支援情報を、アナログ表示手段及び／またはデジタル表示手段を通して提供する。アナログ／デジタル手段は、車両についての必要な作動パラメータを提供するために、速度計、走行距離計、燃料計、表示装置などとして含むが、これらに限定されるものではない。今日では、運転者は、車両の必要な作動状態とともに、追加のそして高度な情報を必要とする。高度な情報には、ナビゲーション情報、位置に基づく情報サービス、及び内部環境状態などが含まれるが、これらに限定されるものではない。したがって、表示システムの寸法は、運転者に要求されるすべての必要な作動パラメータを収容するために拡大されなければならない。しかしながら、表示システムは、運転席中央の近傍でのみ拡大させることができ、さらに、運転者は、彼または彼女の目を道路から大きく離して移動させることができない。よって、表示システムは、運転者の視野内、さらに道路に対する視線内に、設置かつ寸法決めされなければならず、そのうえ、表示システムは、車両の必要な作動パラメータをすべて表示することが可能でなければならない。
【発明の概要】
【発明が解決しようとする課題】
【０００３】
したがって、上述の問題のうちの１つまたは複数に対する解決方法を提供するニーズが、当該技術分野において存在する。本発明は、固有の経済的な方法で、これらの問題のうちの１つまたは複数を解決する。
【課題を解決するための手段】
【０００４】
本発明の特徴は、上記欠点のうちの１つまたは複数を実質的に克服するシステムを提供することである。
【０００５】
本実施形態の主目的が車両の表示システムに関するということは、車両の１つまたは複数の作動パラメータを表示することである。
【０００６】
本実施形態の別の目的は、車両の１つまたは複数の作動パラメータを表示するためにより少ない空間しか必要としない車両の表示システムに関する。
【０００７】
車両の複数の作動パラメータを表示するための表示システムが提供される。表示システムは、第１のパラメータを表示するための第１の表示部と、第２のパラメータを表示するための第２の表示部と、第１の表示部及び第２の表示部と異なる第３の表示部と、第１の表示部及び第２の表示部で第１のパラメータまたは第２のパラメータの計測値を示す（指示する）ための指示ユニット（pointing unit）と、第１の表示部の第１のパラメータまたは第２の表示部の第２のパラメータを示す指示ユニットを制御するためのスイッチと、駆動ユニットとを含む。駆動ユニットは、（ｉ）スイッチのスイッチ位置に基づいて指示ユニットを制御し、（ｉｉ）指示ユニットが第１の表示部で第１のパラメータを示すとき、第３の表示部に１つまたは複数の作動パラメータのうちの少なくとも１つを表示し、（ｉｉｉ）指示ユニットが第２の表示部で第２のパラメータを示すとき、第３の表示部に１つまたは複数の作動パラメータのうちの少なくとも１つを表示するように構成される。
【０００８】
また、表示システムは、スイッチ位置に基づいて、「第１の表示部及び第３の表示部」または「第２の表示部及び第３の表示部」を選択的に照らすように構成される背面照明システムも含む。背面照明システムは、ＬＥＤ、電球照明、ライトパイプ、ライトガイド、または照明モジュールを備える表示技術のうちの少なくとも１つによって実現される。１つまたは複数の作動パラメータは、速度、燃費、油圧、電圧、距離、温度、燃料レベル、空気圧、水圧、アドブルーレベル、タイヤ空気圧、バッテリ充電レベル、及び毎秒回転数を含むが、これらに限定されるものではない。第１の表示部及び第２の表示部は、アナログ表示またはＬＥＤ棒グラフゲージである。第１の表示部及び第２の表示部はそれぞれ、作動パラメータの読み取り値を有するダイヤルを含む。第１の表示部及び第２の表示部は互いに、同心円状に、または偏心的に、またはオフセットされて、または対称に、または非対称に配置される。第３の表示部はデジタル表示であり、第３の表示部は、作動パラメータの計測値を表示するために、液晶ディスプレイ（ＬＣＤ）（セグメント化、ドットマトリクス）、発光ダイオード（ＬＥＤ）、有機ＬＥＤ（ＯＬＥＤ）、薄膜トランジスタ（ＴＦＴ）、または蛍光表示管（ＶＦＤ）を備える。第３の表示部は、第１のパラメータ及び第２のパラメータに加えて、第３のパラメータ及び第４のパラメータのうちの少なくとも１つを表示するように構成される。指示ユニットはコンパス、または針、またはＬＥＤ棒グラフである。
【０００９】
本発明の利点及び特徴は、非限定的な実施例としてのみ与えられる添付の図面について言及する以下の説明から、より明確に明らかになるであろう。
【図面の簡単な説明】
【００１０】
【図１】本明細書の１つの実施形態による、車両の作動パラメータを表示するための表示システムの高レベルブロック図を示す。
【図２Ａ】本明細書の１つの実施形態による、背面照明システムのスイッチがオフのときの、図１の表示システムを示す。
【図２Ｂ】背面照明システムのスイッチがオンのときに、表示システムの第１の表示部及び第３の表示部を選択的に照らす、図１の表示システムを示す。
【図２Ｃ】背面照明システムのスイッチがオンのときに、表示システムの第２の表示部及び第３の表示部を選択的に照らす、図１の表示システムを示す。
【発明を実施するための形態】
【００１１】
本発明は、添付の図面を参照して本明細書の以下に記載される。１つまたは複数の作動パラメータを提供するための車両の表示システムが記載される。
【００１２】
以下の説明は、本発明の単なる例示的な実施形態であり、本発明の範囲、適用性、または構成を制限するものではない。むしろ、以下の説明は、本発明のさまざまな実施形態を実現するために便利な図を提供することを意図する。明らかになるように、これらの実施形態において記載される構造的／動作的な特徴の機能及び配置に関して、本明細書で説明される本発明の要旨を逸脱しない範囲で、さまざまな変更が行われてもよい。本明細書の説明は、異なる形状、構成部品などを有する、代わりに構成される装置との使用に適していてもよく、さらに本発明の範囲内であることが理解されるべきである。したがって、本明細書の詳細説明は、説明のためにのみ示され、限定するものではない。
【００１３】
本実施形態は、１つまたは複数の作動パラメータを提供するための車両の表示システムを提供し、より詳細には、実施形態は、より少ない空間で１つまたは複数の作動パラメータを表示するように構成される表示システムに関するものである。
【００１４】
図１は、本明細書の１つの実施形態による、車両の１つまたは複数の作動パラメータ１０４Ａ〜Ｄを表示するための表示システム１００の高レベルブロック図を示す。１つまたは複数の作動パラメータ１０４Ａ〜Ｄは、第１のパラメータ１０４Ａ、第２のパラメータ１０４Ｂ、第３のパラメータ１０４Ｃ、及び第４のパラメータ１０４Ｄを含む。表示システム１００は、第１のパラメータ１０４Ａを表示するための第１の表示部１０２Ａと、第２のパラメータ１０４Ｂを表示するための第２の表示部１０２Ｂと、第３の表示部１０２Ｃと、第１の表示部１０２Ａ及び第２の表示部１０２Ｂでそれぞれ第１のパラメータ１０４Ａまたは第２のパラメータ１０４Ｂの計測値を示す(indicate)ための指示ユニット１０６（pointing unit）と、前記第１の表示部１０２Ａの第１のパラメータ１０４Ａまたは前記第２の表示部１０２Ｂの第２のパラメータ１０４Ｂを示す指示ユニット１０６を制御するためのスイッチ１０８と、駆動ユニット１１０と、背面照明システム１１２Ａ〜Ｃとを含む。１つまたは複数の作動パラメータ１０４Ａ〜Ｄは、速度、燃費、油圧、電圧、距離、温度、燃料レベル、空気圧、水圧、アドブルーレベル、タイヤ空気圧、バッテリ充電レベル、及び毎秒回転数を含むが、これらに限定されるものではない。第１の表示部１０２Ａ及び第２の表示部１０２Ｂは、作動パラメータに基づく読み取り値を有するダイヤルを含むアナログ表示部である。第１の表示部１０２Ａ及び第２の表示部１０２Ｂは互いに、同心円状に、または偏心的に、またはオフセットされて、または対称に、または非対称に配置される。１つの実施形態において、第１の表示部１０２Ａ及び第２の表示部１０２Ｂは、ＬＥＤ棒グラフを含んでもよい。指示ユニット１０６は、コンパス、または針、またはＬＥＤ棒グラフである。１つの実施形態において、スイッチ１０６は２つの位置を含み、第１の位置は、第１の表示部１０２Ａに第１のパラメータ１０４Ａを表示することであり、第２の位置は、第２の表示部１０２Ｂに第２のパラメータ１０４Ｂを表示することである。
【００１５】
第３の表示部１０２Ｃは、液晶ディスプレイ（セグメント化ディスプレイ／ドットマトリクスディスプレイに基づく）または発光ダイオード（ＬＥＤ）、有機ＬＥＤ（ＯＬＥＤ）または薄膜トランジスタ（ＴＦＴ）または蛍光表示管（ＶＦＤ）技術を使用して作られるデジタル表示部である。駆動ユニット１１０は、１つまたは複数の作動パラメータ１０４Ａ〜Ｄを受けるために、車両の他の部分と連結される。駆動ユニット１１０は、（ｉ）スイッチ１０８のスイッチ位置に基づいて指示ユニット１０６を制御し、（ｉｉ）指示ユニット１０６が第１の表示部１０２Ａに第１のパラメータ１０４Ａを示すとき、第２、第３、及び第４のパラメータのうちの少なくとも１つを表示し、（ｉｉｉ）指示ユニット１０６が第２の表示部１０２Ｂに第２のパラメータ１０４Ｂを示すとき、第３の表示部１０２Ｃに第１、第３、及び第４のパラメータのうちの少なくとも１つを表示するように構成される。背面照明システム１１２Ａ〜Ｃは、スイッチ位置に基づいて、第１の表示部１０２Ａ及び第３の表示部１０２Ｃ、または第２の表示部１０２Ｂ及び第３の表示部１０２Ｃを選択的に照らすように構成される。背面照明システム１１２Ａ〜Ｃは、ＬＥＤ、電球照明、ライトパイプ、ライトガイド、または照明モジュールを備える表示技術のうちの少なくとも１つによって実現される。
【００１６】
１つのシナリオにおいて、たとえば、第１のパラメータ１０４Ａは速度であり、第１の表示部１０２Ａの読み取り値は、車両の速度を計測するための単位の最小から最大の範囲を指定する読み取り値を含む、すなわち、読み取り値はｋｍ／ｈ（すなわち速度計）である。第２のパラメータ１０４Ｂは毎秒回転数であり、第２の表示部１０２Ｂの読み取り値は、毎秒回転数を計測するための単位の最小から最大の範囲を指定する読み取り値を含む、すなわち、読み取り値は値（すなわちｒｐｍメータ／回転計）である。第３のパラメータ１０４Ｃは、車両によって駆動されたキロメートル数（すなわち走行距離計）である。第４のパラメータ１０４Ｄは、時間である。図２Ａは、本明細書の１つの実施形態による、背面照明システム１１２Ａ〜Ｃのスイッチがオフのときの、図１の表示システム１００を示す。たとえば、運転者は一定の時間、速度のみ知ることを必要とする。したがって、運転者は表示システム１００のスイッチ１０６を起動する、すなわち、彼は第１のパラメータ（速度）を表示させるために、スイッチの位置を変更する。図２Ｂは、背面照明システム１１２Ａ〜Ｃのスイッチがオンにされ、表示システム１００の第１の表示部１０２Ａ及び第３の表示部１０２Ｃを選択的に照らすときの、図１の表示システム１００を示す。図２Ｂに示されるように、表示システム１００は、第１の背面照明システム１１２Ａ及び第３の背面照明システム１１２Ｃのみを選択的に照らすことによって、第１の表示部１０２Ａの第１のパラメータ１０４Ａすなわち速度、及び、第３の表示部１０４Ｃの第３のパラメータ１０４Ｃすなわち駆動されたＫＭの数字のみ表示するように構成される。指示ユニット１０６は、第１の表示部１０２Ａの計測値のみ示す。第２の背面照明システム１１２Ｂのスイッチはオフにされている。
【００１７】
たとえば、運転者は一定の時間、毎秒回転数のみ知ることを必要とする。したがって、運転者は表示システム１００のスイッチ１０６を起動する、すなわち、彼は第２のパラメータ（毎秒回転数）を表示させるために、スイッチの位置を変更する。図２Ｃは、背面照明システム１１２Ａ〜Ｃのスイッチがオンにされ、表示システム１００の第２の表示部１０２Ｂ及び第３の表示部１０２Ｃを選択的に照らすときの、図１の表示システム１００を示す。図２Ｃに示されるように、表示システム１００は、第２の背面照明システム１１２Ｂ及び第３の背面照明システム１１２Ｃのみを選択的に照らすことによって、第２の表示部１０２Ｂの第２のパラメータ１０４Ｂすなわち毎秒回転数、ならびに、第３の表示部１０４Ｃの第１のパラメータ１０４Ａすなわち速度及び第３のパラメータ１０４Ｃすなわち駆動されたＫＭの数字のみを表示するように構成される。指示ユニット１０６は、第２の表示部１０２Ｂの計測値のみ示す。第１の背面照明システム１１２Ａのスイッチはオフにされている。
【００１８】
本実施形態は、より少ない空間を利用することによって、表示システムに１つまたは複数の作動パラメータ１０４Ａ〜Ｄを表示する表示システム１００を提供することを容易にする。表示システム１００は、ユーザが動的に表示システムを変更して、選択的な作動パラメータを表示することを容易にし、これは高いレベルのエンドユーザエクスペリエンスを容易にする。
【００１９】
このように、いくつかの例示的な実施形態が記載された。修正及び変更は、前の詳細な説明を読んで、理解することに基づいて、他に生じてもよい。それらが添付の特許請求の範囲またはそれらの等価物の範囲内である限り、例示的な実施形態がすべてのこのような修正及び変更を含むものとして解釈されることが意図されている。
【図１】
0006290956.tif 000002
【図２Ａ】
0006290956.tif 000003
【図２Ｂ】
0006290956.tif 000004
【図２Ｃ】
0006290956.tif 000005